(57)【特許請求の範囲】
【請求項１】
排水源からの排水を受け入れる中継槽と、この中継槽に受け入れた排水を排水処理装置へ排出するポンプとを備えた中継ポンプ槽において、
前記中継槽に、前記排水源から受け入れた排水が所定の水位を超えるオーバーフロー時のオーバーフロー分の排水を前記排水処理装置以外の下水等の排出先に放流するオーバーフロー口を形成すると共に、前記排水処理装置から流下する排水を下水等の排出先に放流する放流流路と前記オーバーフロー口からの放流流路とを接続する接続部材を当該中継槽と一体化したことを特徴とする中継ポンプ槽。
【請求項２】
前記オーバーフロー口に水封トラップを構成したことを特徴とする請求項１記載の中継ポンプ槽。
【請求項３】
前記排水処理装置の放流流路に水封トラップを構成したことを特徴とする請求項１又は請求項２記載の中継ポンプ槽。
【請求項４】
前記オーバーフロー口の水封トラップと排水処理装置の放流流路の水封トラップとを中継槽内に設けた貯水部によって構成したことを特徴とする請求項１ないし請求項３のいずれかに記載の中継ポンプ槽。
【請求項５】
前記オーバーフローが発生する水位を、前記排水処理装置から流下する排水によって上昇する前記貯水部の水位より高く設定したことを特徴とする請求項４記載の中継ポンプ槽。
【請求項６】
前記オーバーフローが発生する水位を、前記排水源からの排水が流入する流入管の高さより低く設定したことを特徴とする請求項１ないし請求項５のいずれかに記載の中継ポンプ槽。
【請求項７】
前記ポンプを中継槽内に設置して中継槽内に旋回流を生じさせつつ送水することによって固形物等の滞留を防止すると共に、前記旋回流の水位よりも上に前記貯水部を構成したことを特徴とする請求項５記載の中継ポンプ槽。
【発明の詳細な説明】
【０００１】
【発明の属する技術分野】
本願発明は、家庭などのおける台所流し台のシンクや当該シンクに取り付けられるディスポーザ等の排水源からの排水を受け入れる中継槽と、この中継槽に受け入れた排水を排水処理装置へ排出するポンプとを備えた中継ポンプ槽に関するものである。
【０００２】
【従来の技術】
従来は、排水処理装置からの排水管を水封トラップ付きの桝で下水管に接続したり、中継桝（中継槽）とは別に排水処理装置で処理した排水を下水等に放流する箇所に放流桝を設け、放流桝内に排水処理装置からの排水管に対する水封トラップを構成していた。また、中継桝のオーバーフロー口を下水管等と水封する必要がある場合においては、中継桝のオーバーフロー口を放流桝に接続し、放流桝から下水管等への出口で水封トラップを構成していた。
【０００３】
図７は、中継ポンプ槽を設置した場合の上述した構成を示すディスポーザ排水処理システムの全体構成図である。
【０００４】
図において、屋内に設置された台所流し台１のシンク２の排水口３には、生ごみを粉砕するディスポーザ４が取り付けられている。
【０００５】
上記ディスポーザ４の排出口に接続された排水管５には、途中に水封のためのＵ字状のトラップ５ａが形成されて、屋外に埋設された中継桝７の流入管６に連結され、中継桝７の側壁上部にその流入口７ａが形成されている。
【０００６】
上記中継桝７内には圧送ポンプ８とフロートセンサ９が設けられており、圧送ポンプ８の吐出口に接続された吐出管１０が中継桝７の上蓋７ｂを介して地上に設置された排水処理装置１１に接続されている。
【０００７】
上記排水処理装置１１は、例えば、前記圧送ポンプ８からの吐出管１０が配管される固液分離槽と、この固液分離槽の底部からエアリフトポンプにより移送される固液混合物を固体分と液体分に分離して液体分は前記固液分離槽に戻す固液分離装置と、前記固液分離槽の上澄み液が自然流下により流入して担体に棲息する微生物により有機物成分を分解処理する処理槽（曝気槽）と、この処理槽から自然流下により流入する処理水中の汚泥分を沈殿分離する沈殿分離槽と、前記固液分離装置で分離されて投入される固体分と予め収納された微生物担体とを攪拌体により攪拌混合して、担体に生息する微生物により堆肥化するコンポスト化装置等から成っている。
【０００８】
上記沈殿分離槽で沈殿分離した汚泥はエアリフトポンプにより固液分離槽に返送され、沈殿分離槽の上澄み液が自然流下により排水処理装置１１の近傍に埋設された放流桝１３に排出される。この放流桝１３には下水管１４が接続されており、上記排水処理装置１１から排出された処理水は放流桝１３を介して下水管１４に放流されるようになっている。
【０００９】
また、前記中継桝７の側壁上部には、圧送ポンプ８やフロートセンサ９の正常動作時における中継桝７の最高水位よりも高い位置にオーバーフロー口７ｃが形成されており、このオーバーフロー口７ｃから上記放流桝１３への接続管１５が下り勾配を持たせて配管されている。
【００１０】
上記排水処理装置１１からの排水管１２の下端は放流桝１３内で常時水没するようにして水封トラップ１２ａを構成し、また、下水管１４は放流桝１３内で下方に折曲し常時水没するようにして水封トラップ１４ａを構成することにより、下水管１４からの臭気ガスや虫が排水処理装置１１や中継桝７へ侵入するのを防げるようになっている。
【００１１】
以上の構成において、圧送ポンプ８やフロートセンサ９の正常動作時には、ディスポーザ４で粉砕された粉砕生ごみを含む排水や台所で発生する通常の生活排水が排水管５から流入管６を介して中継桝７に流入し、中継桝７の水位が一定以上になると、フロートセンサ９がＯＮとなって、圧送ポンプ８が駆動される。圧送ポンプ８により圧送された排水は吐出管１０を介して排水処理装置１１に搬送される。排水処理装置１１で上述したようにして浄化処理された処理水は、排水管１２を通して放流桝１３に自然流下し、下水管１４に流される。
【００１２】
一方、圧送ポンプ８の故障や停電あるいはフロートセンサ９の不作動などによって、圧送ポンプ８の搬送能力が不足したり機能しなくなった場合には、中継桝７内の水位が正常時の最高水位を超えて上昇するが、側壁上部に形成されたオーバーフロー口７ｃ位置まで上昇すると、オーバーフロー口７ｃから自然流下により接続管１５を介して放流桝１３に流出し、下水管１４に流される。
【００１３】
【発明が解決しようとする課題】
上記のような構成においては、中継桝７を設置するだけでなく、中継桝７とは別にトラップ付きの桝や放流桝１３を設置したり、中継桝７と放流桝１３との接続管１５を設置するといったことが必要となり、設置工事の手間がかかるだけでなく、設置場所や配管ルートが確保できずに排水処理システムそのものが設置できなくなるといった問題があった。
【００１４】
そこで、本願発明はこのような課題を解決するためになされたものであり、設置工事の手間が少なくて済むと共に、設置場所の確保が容易になる中継ポンプ槽を提供することを目的とするものである。
【００１５】
【課題を解決するための手段】
上記のような目的を達成するために、本願発明は、排水源からの排水を受け入れる中継槽と、この中継槽に受け入れた排水を排水処理装置へ排出するポンプとを備えた中継ポンプ槽において、前記中継槽に、前記排水源から受け入れた排水が所定の水位を超えるオーバーフロー時のオーバーフロー分の排水を前記排水処理装置以外の下水等の排出先に放流するオーバーフロー口を形成すると共に、前記排水処理装置から流下する排水を下水等の排出先に放流する放流流路と前記オーバーフロー口からの放流流路とを接続する接続部材を当該中継槽と一体化したことを特徴とするものである。
【００１６】
さらに、前記オーバーフロー口に水封トラップを構成したことを特徴とするものである。
【００１７】
また、前記排水処理装置の放流流路に水封トラップを構成したことを特徴とするものである。
【００１８】
さらに、前記オーバーフロー口の水封トラップと排水処理装置の放流流路の水封トラップとを中継槽内に設けた貯水部によって構成したことを特徴とするものである。
【００１９】
また、前記オーバーフローが発生する水位を、前記排水処理装置から流下する排水によって上昇する前記貯水部の水位より高く設定したことを特徴とするものである。
【００２０】
また、オーバーフローが発生する水位を、前記排水源からの排水が流入する流入管の高さより低く設定したことを特徴とするものである。
【００２１】
また、前記ポンプを中継槽内に設置して中継槽内に旋回流を生じさせつつ送水することによって固形物等の滞留を防止すると共に、前記旋回流の水位よりも上に前記貯水部を構成したことを特徴とするものである。
【００２２】
【発明の実施の形態】
以下、本願発明の実施形態を図面を参照して詳細に説明する。
【００２３】
図１は、本願発明の一実施形態に係る中継ポンプ槽の構成を示す縦断面図であり、前記図７と同一符号は同一又は相当部分を示している。
【００２４】
本実施形態の中継ポンプ槽は、上下２部品から成る中継桝（中継槽）７の底部に圧送ポンプ８が設置され、この圧送ポンプ８の所定高さ位置にフロートセンサ９が取り付けられており、圧送ポンプ８の吐出口に接続された吐出管１０が中継桝７の上蓋７ｂを介して前記図７に示したように地上に設置された排水処理装置１１に接続されている。
【００２５】
上記中継桝７の一側の上部側壁には、前記図７に示したディスポーザ４からの流入管６が配管されて、流入口７ａが形成されると共に、他側の上部側壁にはオーバーフロー口７ｃが形成されている。
【００２６】
そして、本実施形態においては、上記オーバーフロー口７ｃにＴ字管２０が枝管２０ｂ側を上向きにして取り付けられ、中継桝７と一体化されている。このＴ字管２０の枝管２０ｂ側には前記図７に示した排水処理装置１１からの排水管１２が連結されており、主管２０ａ側には下水管１４が連結されている。
【００２７】
以上のように構成することにより、前記図７に示したような放流桝１３を設置したり、中継桝７と放流桝１３とを接続する接続管１５を配管するといったことが不要となり、中継桝７だけを設置すれば良く、設置工事の手間が最小限で済むと共に、設置場所の確保が容易になる。
【００２８】
本実施形態は、図７に示した排水処理装置１１の内部又は排水管１２の途中に水封トラップを構成しているような場合で、かつ圧送ポンプ８が吸込口８ａの水位まで送水できずに中継桝７内に常に排水が残っており、排水処理装置１１に中継桝７内の空気を送ることがない場合に有効で、このような場合であれば、下水からの臭気ガスや虫が排水処理装置１１の排水管１２や中継桝７を介して排水処理装置１１へ侵入することはない。なお、中継桝７の流入管６が連結されるディスポーザ４の排水管５には、前記図７に示したようにＵ字状の水封トラップ５ａが設けられているので、下水からの臭気ガスや虫が中継桝７を介して台所に侵入することはない。
【００２９】
図２は、本願発明の他の実施形態に係る中継ポンプ槽の構成を示す縦断面図であり、前記実施形態と同一符号は同一又は相当部分を示している。
【００３０】
本実施形態においては、前記実施形態の構成に加えて、オーバーフロー口７ｃの内側にエルボ管２１を下向きに取り付けて、その下部開口２１ａが常時水没するような貯水部２２を設けたものである。これにより、水封トラップ２１ｂが構成され、貯水部２２の上部開口２２ａが新たなオーバーフロー口となる。
【００３１】
本実施形態は、図７に示した排水処理装置１１の内部又は排水管１２の途中に水封トラップを構成しているような場合に有効で、上記実施形態と同様な作用効果が得られると共に、オーバーフロー口７ｃに水封トラップ２１ｂを構成したことにより、下水からの臭気ガスや虫が中継桝７に侵入するのを防止でき、ひいては中継桝７を介しての排水処理装置１１への侵入を防止できる。
【００３２】
図３は、本願発明の更に他の実施形態に係る中継ポンプ槽の構成を示す図で、（ａ）は縦断面図、（ｂ）はその要部上面図であり、前記実施形態と同一符号は同一又は相当部分を示している。
【００３３】
本実施形態においては、オーバーフロー口７ｃに、主管２３ａとＵ字状の水封トラップ２３ｃが形成された枝管２３ｂとから成るトラップ付き継手管２３が取り付けられ、中継桝７と一体化されている。このトラップ付き継手管２３の枝管２３ｂ側には前記図７に示した排水処理装置１１からの排水管１２が連結されており、主管２３ａ側には下水管１４が連結されている。
【００３４】
以上のように排水処理装置１１の放流流路に水封トラップ２３ｃを構成したことにより、下水からの臭気ガスや虫が排水管１２を介して排水処理装置１１に侵入するのを防止できる。本実施形態は、圧送ポンプ８が吸込口８ａまで送水できずに中継桝７内に常に排水が残っており、排水処理装置１１に中継桝７内の空気を送ることがない場合に有効で、この場合、オーバーフロー口７ｃには水封トラップがなくても良い。
【００３５】
図４は、本願発明の更に他の実施形態に係る中継ポンプ槽の構成を示す縦断面図であり、前記実施形態と同一符号は同一又は相当部分を示している。
【００３６】
本実施形態は、前記図２に示した実施形態と図３に示した実施形態を組み合わせたもので、中継桝７のオーバーフロー口７ｃの内側には図２の実施形態に示したエルボ管２１と貯水部２２が取り付けられており、外側には図３の実施形態に示したトラップ付き継手管２３が取り付けられている。
【００３７】
従って、本実施形態においては、どのような場合においても、下水からの臭気ガスや虫が中継桝７に侵入するのを防止でき、ひいては中継桝７を介しての排水処理装置１１への侵入を防止できると共に、下水からの臭気ガスや虫が排水処理装置１１の排水管１２を介して排水処理装置１１に侵入するのも防止できる。
【００３８】
図５は、本願発明の更に他の実施形態に係る中継ポンプ槽の構成を示す縦断面図であり、前記実施形態と同一符号は同一又は相当部分を示している。
【００３９】
本実施形態においては、前記図２や図４に示した中継桝７内側のエルボ管２１や貯水部２２はそのまま利用すると共に、中継桝７外側に一体化していたＴ字管２０やトラップ付き継手管２３は無くして、排水処理装置１１からの排水管１２を中継桝７の上蓋７ｂを通して中継桝７内に引き込み、その下部開口１２ｂを貯水部２２に水没させて、水封トラップ１２ｃを構成したものである。従って、下水管１４は中継桝７のオーバーフロー口７ｃに直接連結することができる。
【００４０】
このように、オーバーフロー口７ｃの水封トラップ２１ｂと排水処理装置１１の放流流路の水封トラップ１２ｃとを中継桝７内に設けた貯水部２２によって構成したことにより、前記実施形態と同様な作用効果が得られると共に、設置工事の手間が最小限で済み、かつ中継桝７本体だけになるので、設置場所の確保が極めて容易になる。
【００４１】
また、本実施形態においては、図６に示すように、貯水部２２の上部開口２２ａ（新たなオーバーフロー口）の高さＨ１は、排水処理装置１１から排水管１２を介して流下する排水によって上昇する水位Ｈ２よりも高く、かつディスポーザ４からの流入管６の上部側の高さＨ３よりも低くなるように構成している。さらに、貯水部２２の下端の高さＨ４は、通常使用時の圧送ポンプ８の駆動によって生じる旋回流Ｃの最大水位Ｈ５よりも高くなるように構成している。
【００４２】
以上のように構成したことにより、排水処理装置１１から流下する排水によって上昇する水位Ｈ２よりもオーバーフローが発生する水位Ｈ１の方が高くなるので、排水処理装置１１から流下する排水が中継桝７側に逆流するのを防止することができる。
【００４３】
また、ディスポーザ４からの流入管６の上部側の高さＨ３よりもオーバーフローが発生する水位Ｈ１の方が低くなるので、オーバーフロー発生時にも流入管６が完全に水没することがなくなり、台所シンク２からの排水の流下を妨げることがない。
【００４４】
さらに、通常使用時に中継桝７内で上下動する旋回流Ｃの最大水位Ｈ５よりも貯水部２２の下端の高さＨ４の方が高くなるので、旋回流Ｃに乱れを生じさせることがなく、粉砕生ごみ等の固形物なども滞留させることなくスムーズに排出することができる。これは、本実施形態のように、中継桝７内に圧送ポンプ８が設置された中継ポンプ槽において有効である。
【００４５】
なお、上記各実施形態においては、本願発明による中継ポンプ槽をディスポーザ排水処理システムに適用した場合について説明したが、例えば、ディスポーザを用いない生活排水のみを処理する簡易な排水処理システムにおいても、本願発明を有効に適用することができる。
【００４６】
また、上記各実施形態においては、中継桝７内に圧送ポンプ８が設置された中継ポンプ槽に本願発明を適用した場合について説明したが、自給式のポンプ本体が地上に設置されていて、吸引管を中継桝７内に引き込んでいる構成の中継ポンプ槽にも適用可能である。
【００４７】
【発明の効果】
以上のように本願発明によれば、排水源からの排水を受け入れる中継槽と、この中継槽に受け入れた排水を排水処理装置へ排出するポンプとを備えた中継ポンプ槽において、中継槽に、排水源から受け入れた排水が所定の水位を超えるオーバーフロー時のオーバーフロー分の排水を排水処理装置以外の下水等の排出先に放流するオーバーフロー口を形成すると共に、排水処理装置から流下する排水を下水等の排出先に放流する放流流路と前記オーバーフロー口からの放流流路とを接続する接続部材を当該中継槽と一体化したことにより、中継槽だけを設置すれば良く、設置工事の手間が少なくて済むと共に、設置場所の確保が容易になる。
【００４８】
さらに、前記オーバーフロー口に水封トラップを構成することにより、上記効果に加えて、下水等からの臭気ガスや虫が中継槽に侵入するのを防止でき、ひいては排水処理装置への侵入も防止できる。
【００４９】
また、前記排水処理装置の放流流路に水封トラップを構成することにより、上記効果に加えて、下水等からの臭気ガスや虫が排水処理装置へ侵入するのを防止できる。
【００５０】
さらに、前記オーバーフロー口の水封トラップと排水処理装置の放流流路の水封トラップとを中継槽内に設けた貯水部によって構成することにより、上記効果に加えて、工事の手間が最小限で済むと共に、設置場所の確保が極めて容易になる。
【００５１】
また、前記オーバーフローが発生する水位を、排水処理装置から流下する排水によって上昇する前記貯水部の水位より高く設定することにより、排水処理装置から流下する排水が中継槽に逆流するのを防止できる。
【００５２】
また、前記オーバーフローが発生する水位を、排水源からの排水が流入する流入管の高さより低く設定することにより、オーバーフロー発生時にも中継槽への流入管が水没することがなく、排水源からの排水の流下を妨げることがない。
【００５３】
また、前記ポンプを中継槽内に設置して中継槽内に旋回流を生じさせつつ送水することによって固形物等の滞留を防止すると共に、旋回流の水位よりも上に前記貯水部を構成することにより、旋回流に乱れを生じさせることがなく、固形物等も滞留させることなくスムーズに排出することができる。
【図面の簡単な説明】
【図１】本願発明の一実施形態に係る中継ポンプ槽の構成を示す縦断面図。
【図２】本願発明の他の実施形態に係る中継ポンプ槽の構成を示す縦断面図。
【図３】本願発明の更に他の実施形態に係る中継ポンプ槽の構成を示す図で、（ａ）は縦断面図、（ｂ）はその要部上面図。
【図４】本願発明の更に他の実施形態に係る中継ポンプ槽の構成を示す縦断面図。
【図５】本願発明の更に他の実施形態に係る中継ポンプ槽の構成を示す縦断面図。
【図６】上記図５の実施形態に各部の高さ関係を図示した縦断面図。
【図７】中継ポンプ槽を設置した場合のディスポーザ排水処理システムの全体構成図。
【符号の説明】
１  台所流し台
２  シンク
３  排水口
４  ディスポーザ
５  排水管
５ａ  水封トラップ
６  流入管
７  中継桝
７ａ  流入口
７ｂ  上蓋
７ｃ  オーバーフロー口
８  圧送ポンプ
８ａ  吸込口
９  フロートセンサ
１０  吐出管
１１  排水処理装置
１２  排水管
１２ｃ  水封トラップ
１４  下水管
２０  Ｔ字管
２１  エルボ管
２１ｂ  水封トラップ
２２  貯水部
２２ａ  上部開口
２３  トラップ付き継手管
２３ｃ  水封トラップ
【図１】
0003851141.tif 000002
【図２】
0003851141.tif 000003
【図３】
0003851141.tif 000004
【図４】
0003851141.tif 000005
【図５】
0003851141.tif 000006
【図６】
0003851141.tif 000007
【図７】
0003851141.tif 000008